(57)【特許請求の範囲】
【請求項１】
ベルトにより構成された上半身装着部と下半身装着部とからなり、上半身装着部は人体の両方の肩に掛けて装着され、下半身装着部は人体の両大腿部に挿通して装着され、上記の上半身装着部と下半身装着部とが連結一体化され、上記両大腿部が挿通される大腿ベルト部の内股部分相互間に尻当てベルトを取付てなる高所作業用などのハーネスにおいて、上記の尻当てベルトの両端に偏平輪部を設け、各偏平輪部を上記の各大腿ベルト部にスライド可能に挿通し、その尻当てベルトの中間部に、人体前方側が小円弧となり人体後方側が大円弧となる扇形部を設けたことを特徴とする高所作業用などのハーネス。
【請求項２】
上記の一体化された上半身装着部と下半身装着部とを２組の無端状のベルトにより構成し、該無端状ベルトにより人体の左右の胸部に位置する前バックルから左右の肩を経て背面交差部に至る肩掛けベルト部、上記の背面交差部から左右の腰部交差部に至る背面ベルト部、上記の腰部交差部から人体の大腿部周囲を回って該腰部交差部に戻る大腿ベルト部、更に該腰部交差部から左右の胸部に至り上記とは左右逆の位置にある前バックルに連結される前ベルト部を形成し、上記大腿ベルト部の内股部分相互間に上記の尻当てベルトを設けたことを特徴とする請求項１に記載の高所作業用などのハーネス。
【請求項３】
上記の尻当てベルトの中間部分を複数枚の皮革を重ねて構成し、該尻当てベルトの剛性を高めたことを特徴とする請求項１または２に記載の高所作業用などのハーネス。
【請求項４】
上記の前バックルから肩を経て腰部交差部に至る間の上部ベルトと、腰部交差部から大腿部を経て他の前バックルに至る間の下部ベルトとの色彩を異ならせたことを特徴とする請求項１から３のいずれかに記載の高所作業用などのハーネス。
【発明の詳細な説明】
【０００１】
【発明の属する技術分野】
この発明は、高所作業やパラシュート降下等に際して安全確保のために人体に装着されるハーネスに関し、特に尻当てベルトに関するものである。
【０００２】
【従来の技術】
高所作業時の転落事故を防止するために、命綱を取付けたハーネスを作業者が装着し、万一作業者が転落した場合にそのハーネスによって人体を安定よく支持するようにすることが従来から行われている（例えば、特開平８−１８２７７０号公報参照）。このような従来のハーネスは、２本の無端状のベルトを、人体の背面と、両体側面及び股下の全部で４ヵ所で交差させ、全体としての上半身装着部と、下半身装着部とを構成している。
【０００３】
上記のハーネスは、股下においてベルトを交差させた固定部分があるため、両足を大きく拡げたり、座ったりした場合に、足の動作が制限される不都合がある。このため、両大腿部を挿通させる輪状の大腿ベルト部の内股部分相互間に、内股連結ベルトを設けることが行われている。このようなベルトを設けるとベルトの長さ分だけ余裕が生じるため、両足の動きが自由になり、装着具合が良くなる。
【０００４】
【発明が解決しようとする課題】
しかしながら、上記のごとき内股連結ベルトを設けると、両足を狭めた通常の作業姿勢の場合に、そのベルトがＵ字状に垂れ下がり、不格好であるだけでなく、付近の物にこれが引っ掛かり作業の妨げになったり、場合によっては転落の原因となる恐れがある。
【０００５】
そこで、この発明は上記のごとき内股連結ベルトを改良して、両足の動きの自由を制限することがなく、しかも垂れ下がることのない尻当てベルトを設けた高所作業用などのハーネスを提供することを課題とする。
【０００６】
【課題を解決するための手段】
上記の課題を解決するために、この発明はベルトにより構成された上半身装着部と下半身装着部とからなり、上半身装着部は人体の両方の肩に掛けて装着され、下半身装着部は人体の両大腿部に挿通して装着され、上記の上半身装着部と下半身装着部とが連結一体化され、上記両大腿部が挿通される大腿ベルト部の内股部分相互間に尻当てベルトを取付てなる高所作業用などのハーネスにおいて、上記の尻当てベルトの中間部に、人体前方側が小円弧となり人体後方側が大円弧となる扇形部を設けた構成としたものである。
【０００７】
上記の一体化された上半身装着部と下半身装着部とを２組の無端状のベルトにより構成し、該無端状ベルトにより人体の左右の胸部に位置する前バックルから左右の肩を経て背面交差部に至る肩掛けベルト部、上記の背面交差部から左右の腰部交差部に至る背面ベルト部、上記の腰部交差部から人体の大腿部周囲を回って該腰部交差部に戻る大腿ベルト部、更に該腰部交差部から左右の胸部に至り上記とは左右逆の位置にある前バックルに連結される前ベルト部を形成し、上記大腿ベルト部の内股部分相互間に上記の尻当てベルトを設けた構成とすることができる。
【０００８】
上記の尻当てベルトの両端に偏平輪部を設け、各偏平輪部を上記の各大腿ベルト部にスライド可能に挿通した構成や、上記の尻当てベルトの中間部分を複数枚の皮革を重ねて構成し、該尻当てベルトの剛性を高めた構成や、上記の前バックルから肩を経て腰部交差部に至る間の上部ベルトと、腰部交差部から大腿部を経て他の前バックルに至る間の下部ベルトとの色彩を異ならせた構成をとることもできる。
【０００９】
【発明の実施の形態】
以下、この発明の実施形態を添付図面に基づいて説明する。
図１から図３に示すように、実施形態のハーネスは高所作業用のものであり、ナイロンその他の合成繊維等によって織製された２本の上部ベルト１、１と、２本の下部ベルト２、２を有する。
【００１０】
各上部ベルト１の上端部は、人体３（図２参照）の左右の胸部前方に位置する調整用の前バックル４に取付けられ、その前バックル４上方の人体の肩を経て背面交差部５において斜めに交差している。前バックル４から背面交差部５までの間を肩掛けベルト部６と称する。
【００１１】
上部ベルト１は背面交差部５から人体の腰骨付近の腰部交差部７を越えて大腿ベルト部８の途中に達する。背面交差部５から腰部交差部７までの間を背面ベルト部９と称する。
【００１２】
また、各下部ベルト２の上端部は、上部ベルト１の下端部に重ねられ、その重なり部分に間隔をおいて２カ所の縫着部１１、１１’を設け、両方の縫着部１１、１１’の間に、分離した２枚重ねでなる挿通部１０を設けている（図６（ｂ）参照）。下部ベルト２は人体の大腿部の付け根に沿った輪状をなし、上記の腰部交差部７において挿通部１０の内部を通過して人体の腹部両側に沿って立ち上がり、前記とは左右逆の位置にある他の前バックル４に通して引き戻される。
【００１３】
上記の下部ベルト２のうち、腰部交差部７から出発して大腿部の付け根に沿った輪状をなし、腰部交差部７に戻る部分を大腿ベルト部８と称し、また腰部交差部７から前バックル４をへて引き戻される部分を前ベルト部１３と称する。
【００１４】
前ベルト部１３の腰部交差部７と前バックル４との間に固定バックル１４が取付けられ、前バックル４をへて引き戻された前ベルト部１３の自由端がその固定バックル１４に挿通される。
【００１５】
上記の上部ベルト１と下部ベルト２とは異なった色彩を有し、これによって装着時にハーネスの上下を容易に区別できるようにしている。
【００１６】
上記の前バックル４は、図４（ａ）から（ｃ）に示すように、固定金具１６とスライドロック金具１７の組合せにより構成される。固定金具１６は両側縁に外向き（人体の外側向き）に屈曲されたガイド片１８を有し、また中央部分に四角形の孔１９が設けられ、その孔１９の上辺に外向きに屈曲された突片２１が設けられる。この突片２１の高さはスライドロック金具１７を形成する金属板の板厚より若干高く形成される。
【００１７】
また、上記の突片２１と対向した側辺に、該突片２１とは反対向き（内向き）にほぼ板厚の程度湾曲されたロック片３０が設けられる。上記のロック片３０及び突片２１の外側、孔１９の両側辺の外側は平坦なガイド面２２となっている。
【００１８】
スライドロック金具１７も平坦な金属板により形成され、両側縁に外向きに屈曲されたガイド片２３を有し、このガイド片２３が前記固定金具１６のガイド片１８の内側にスライド自在に嵌まり合う。このスライドロック金具１７に上孔２４と、これより上下幅の小さい下孔２５とが設けられ、上下の孔２４、２５間に横バー２６が形成される。その横バー２６の下縁に滑り止め用の細かい凹凸２７が設けられる。スライドロック金具１７は、前記の固定金具１６のガイド面２２に接すると共に、ガイド片１８に沿って案内される。
【００１９】
上記の固定金具１６にスライドロック金具１７を重ね、スライドロック金具１７の上孔２４に固定金具１６の突片２１を通し、その突片２１と横バー２６との間に肩掛けベルト部６の一端部を挿通し、挿通端を上方に引き戻して２ヵ所の縫着部２８、２８（図１参照）で端部を固定する。肩掛けベルト部６は、図４（ｂ）に示すように、突片２１により持ち上げられるため、スライドロック金具１７の上下方向への移動間隙を形成する。
【００２０】
下部ベルト２の前ベルト部１３は固定金具１６の内側からその孔１９に通され、更にスライドロック金具１７の横バー２６に掛けて下方に引き戻され、その自由端が固定バックル１４に挿通される。
【００２１】
上記の前バックル４は、図４（ｂ）に示すように、下部ベルト２に矢印Ａで示すような引っ張荷重が作用すると、スライドロック金具１７が引き下げられ、横バー２６とロック片３０との間で前ベルト部１３をロックし、その移動を止める。またスライドロック金具１７の下端を図４（ｂ）の一点鎖線で示すように持ち上げると、前記のロックが解除され前ベルト部１３は自由に移動が可能となり、長さを調整することができる。調整後は前ベルト部１３の自由端を固定バックル１４に対して移動させ、弛みをとる。
【００２２】
なお、ロックを解除するには、固定金具１６とスライドロック金具１７とを、上部ベルト１の輪２９を中心にして若干前方に回動させることによっても行うことができる。
【００２３】
前記の背面交差部５には、図１、図３に示すように背面バックル３１が取付けられる。この背面バックル３１は、図５に示すように、上部に設けられた日の字形（横長の長方形の孔に横方向のバーを渡した形状）の固定バックル部３１ａと、左右斜め下方に設けられた２つの同様の形状の固定バックル部３１ｂ，３１ｃとからなるものである。
【００２４】
２本の上部ベルト１は上記の固定バックル部３１ａのバー外面上で交差して前記の背面交差部５を形成すると共に上方に引き出され、下方の固定バックル部３１ｂ，３１ｃにそれぞれ上部ベルト１、１の背面ベルト部９の上端部分が挿通され下方に引き出される。
【００２５】
上記の固定バックル部３１ａにＤ形リング３２が取付けられると共に、そのＤ形リング３２に命綱３３の一端が取付けられ、また命綱３３の他端にフック４０（図３参照）が取付けられる。上記の背面バックル３１は、上部ベルト１、１の背面交差部５を固定する作用をなす。
【００２６】
上記の命綱３３のＤ形リング３２に取付けられる部分は輪状に形成され（図５参照）その内周部に硬質樹脂でなるシンブル４６が装着される。またその輪状の部分と、輪状の部分から所要の長さの範囲にわたり、熱収縮性樹脂からなる保護チューブ４７が被覆される。この保護チューブ４７は、命綱３３が損傷を受けることを防止するものであるが、特にＤ形リング３２に取付けられた部分から一定長さの範囲は、このハーネスを装着した作業者の背面にあり、作業者が目視によって安全を確認できないので、上記のような保護チューブ４７を被覆して保護するのである。従って、フック４０の近傍等作業者が目視により安全を確認できる範囲においては命綱３３は裸のままとし、自由な屈曲変形を妨げないようにしている。
【００２７】
また、上記の腰部交差部７に腰部バックル３４が取付けられる（図１及び図２参照）。腰部バックル３４は皮革のように人体の動きに追従して柔軟に変形できるシート状素材により形成され、図６及び図７に示すように、左右の斜め上方に一対の長孔３５、３５’が設けられると共に、左右の斜め下方に一対の日の字形のバックル孔３６、３６’が設けられる。これらの長孔３５、３５’及びバックル孔３６、３６’は腰部バックル３４の中心に対しそれぞれ９０度ずつの角度をかえて配置される。
【００２８】
前記の上部ベルト１の下端部と下部ベルト２の上端部の連結部分、即ち前述の縫着部１１、１１’間の挿通部１０が、腰部バックル３４の右斜め上の長孔３５’と左斜め下のバックル孔３６に挿通され、下部ベルト２の大腿ベルト部８の終端部分が、右斜め下のバックル孔３６’と左斜め上の長孔３５に挿通される。その下部ベルト２はバックル孔３６’と長孔３５の間で前記の挿通部１０に挿通される。
【００２９】
上記の腰部バックル３４は、腰部交差部７の交差角と交差位置とを確保し、大腿ベルト部８の輪を一定に保つ作用をなす。また、左右のバックル孔３６、３６’の間に係止用のリング３７が設けられ、前記のフック４０を使用しない時は該フック４０をリング３７に係止するようにしている。
【００３０】
また、左右の大腿ベルト部８、８の内股部分の相互間には、図８に示すように尻当てベルト３８が設けられる。この尻当てベルト３８は両端に偏平な輪部３９、３９が設けられ、その輪部３９、３９間に２枚の皮革を重ねて縫合したつなぎ部４１が設けられる。上記の輪部３９、３９は大腿ベルト部８、８にスライド自在に挿通される。つなぎ部４１を、上記のように複数枚の皮革を縫合して構成することにより、つなぎ部４１の剛性が向上する。
【００３１】
上記の輪部３９、３９は大腿ベルト部８、８に対して直角に取付けられ、つなぎ部４１の中央部分に扇形部４２が形成される。尻当てベルト３８は全体として平面視くの字形に形成される。扇形部４２は人体の前方側が小円弧、後方側が大円弧となる。
【００３２】
上記の尻当てベルト３８は、大腿ベルト部８、８を人体の大腿部に挿通した際に、その大腿ベルト部８、８  が図８（ｂ）に一点鎖線で示すように下方に強く傾斜するため、逆Ｕの字形に立ち上がる。このため、尻当てベルト３８は、図９（ａ）（ｂ）に示すように、作業者の内股部に当たる。この場合、扇形部４２は内股後部に至るほど高く立ち上がるので、尻当てベルト３８は臀部溝の立ち上がり形状に沿って密着し、その剛性により垂れ下がりを生じることがなく、また両足を拡げた場合は平板状に延びてその動きの自由を妨げない。
【００３３】
その他、図１及び図２において、符号４３で示すものは、左右の肩掛けベルト部６相互間を着脱自在に連結する胸ベルトである。
【００３４】
この発明の実施形態にかかるハーネスは、以上のごときものであり、全体として見れば、図２で分かるように、両側の腰部バックル３４の部分から上部は上半身装着部４４を構成すると共に、下部が下半身装着部４５を構成し、腰部バックル３４の部分で上下が連結された構成である。
【００３５】
上記のハーネスを装着する場合は、作業者の身体にあわせて予め背面バックル３１、腰部バックル３４の位置を定め、下半身装着部４５の両方の大腿ベルト部８に作業者の大腿部を挿通し、次に上半身装着部４４の両方の肩掛けベルト部６を両肩に掛ける。その上で、前バックル４のスライドロック金具１７だけ、或いは固定金具１６とスライドロック金具１７とを持ち上げてロックを解除し、前ベルト部１３を引き締め、或いは緩めるなどして長さの調整を行う。
【００３６】
このようにしてハーネスを装着すると、図８、図９に示すように、大腿ベルト部８の内股部分が人体の内股に沿って立ち上がりつつ接近するので、尻当てベルト３８は逆Ｕ字形に弾性変形し、作業者の肛門を中心とした臀部溝付近に密着する。また、作業者の動きに従って逆Ｕ字形部分が自由に変形する。
【００３７】
なお、高所作業を行う際には、命綱３３のフック４０を固定部分に係止する。
【００３８】
【発明の効果】
以上のように、この発明はハーネスの大腿ベルト部の内股部分相互間に取付けられる尻当てベルトの中央部分に人体前方側が小円弧となり、人体後方側が大円弧となる扇形部を設けたことにより、ハーネスの装着時に尻当てベルトが逆Ｕ字形に湾曲して作業者の肛門を中心とした臀部溝付近に良く密着するとともに、両足の動きを妨げない。このため、尻当てベルトが付近の物に引っ掛かるなどの恐れが解消され、高所作業を安全に行うことができる。
【００３９】
また、作業者の体格の違いによって尻当てベルトの位置を適宜移動させることができるので、正しい位置にこれを当てることができる。
【図面の簡単な説明】
【図１】実施形態の斜視図
【図２】装着状態の正面図
【図３】装着状態の背面図
【図４】（ａ）前バックルの分解斜視図
（ｂ）同上の使用状態の断面図
（ｃ）（ｂ）図のｃ−ｃ線の断面図
【図５】背面バックルの斜視図
【図６】（ａ）腰部バックルの斜視図
（ｂ）同上の使用状態の斜視図
【図７】（ａ）図６（ａ）のａ−ａ線の断面図
（ｂ）同上のｂ−ｂ線の断面図
【図８】（ａ）尻当てベルト部分の平面図
（ｂ）（ａ）図のｂ−ｂ線の断面図
【図９】（ａ）装着状態の一部斜視図
（ｂ）（ａ）図の状態の断面図
【符号の説明】
１  上部ベルト
２  下部ベルト
３  人体
４  前バックル
５  背面交差部
６  肩掛けベルト部
７  腰部交差部
８  大腿ベルト部
９  背面ベルト部
１０  挿通部
１１、１１’  縫着部
１３  前ベルト部
１４  固定バックル
１６  固定金具
１７  スライドロック金具
１８  ガイド片
１９  孔
２１  突片
２２  ガイド面
２３  ガイド片
２４  上孔
２５  下孔
２６  横バー
２８  縫着部
２９  輪部
３０  ロック片
３１  背面バックル
３１ａ，３１ｂ，３１ｃ  固定バックル部
３２  Ｄ形リング
３３  命綱
３４  腰部バックル
３５、３５’  長孔
３６、３６’  バックル孔
３７  リング
３８  尻当てベルト
３９  輪部
４０  フック
４１  つなぎ部
４２  扇形部
４３  胸ベルト
４４  上半身装着部
４５  下半身装着部
４６  シンブル
４７  保護チューブ
【図１】
0003935608.tif 000002
【図２】
0003935608.tif 000003
【図３】
0003935608.tif 000004
【図４】
0003935608.tif 000005
【図５】
0003935608.tif 000006
【図６】
0003935608.tif 000007
【図７】
0003935608.tif 000008
【図８】
0003935608.tif 000009
【図９】
0003935608.tif 000010